(57)【要約】【課題】  鳥類が飛来してきて止まることを確実に防ぐことができ、鳥類のフンによる公害等を、防ぐことができる鳥類飛来防止装置を提供することを目的とする。【解決手段】  風を受けて一軸心Ｘ廻りに回転する細長状回転体１を備えた鳥類飛来防止装置である。回転体１は、一軸心Ｘ廻りに捻られた多角筒形芯部２と、横断面に於て芯部２の多角形の各辺を一方へ延伸した捻りブレード部３と、を備えてプラスチックにて一体成形されている。【選択図】  図５
2005168409.tif 000002
【特許請求の範囲】
【請求項１】
風を受けて一軸心（Ｘ）廻りに回転する細長状回転体（１）を備えた鳥類飛来防止装置であって、
該回転体（１）は、上記一軸心（Ｘ）廻りに捻られた多角筒形芯部（２）と、横断面に於て該芯部（２）の多角形の各辺（12）を一方へ延伸した捻りブレード部（３）と、を備えてプラスチックにて一体成形されていることを特徴とする鳥類飛来防止装置。
【請求項２】
上記多角形の角数をＮとすると、上記多角筒形芯部（２）の全長の捻り角度（θ）を、 360°／Ｎ、乃至それより僅かに小さな値に設定した請求項１記載の鳥類飛来防止装置。
【請求項３】
上記芯部（２）が三角筒形であり、全長の捻り角度（θ）を 120°乃至それより僅かに小さな値に設定した請求項１記載の鳥類飛来防止装置。
【請求項４】
上記回転体（１）が、軸心（Ｘ）と直交する直交面で分離可能な切り目（５）を、有する請求項１，２又は３記載の鳥類飛来防止装置。
【請求項５】
一体成形された上記回転体（１）の多角筒形芯部（２）の両端開口部（４)(４）に挿入固着される軸棒部材（８)(８）を有する請求項１，２，３又は４記載の鳥類飛来防止装置。
【請求項６】
三角柱が軸心（Ｘ）廻りに 120°捻られた形状の中子（21）と、該中子（21）廻りで軸心（Ｘ）を中心として径方向へ 120°の方向に３分割可能であると共に上記中子（21）の３つの外向き合わせ面（22）に対応するように捻られた形状の内向き合わせ面（24）を有する３つの分割金型（23）と、を備える金型機構（20）を使用して、
一軸心（Ｘ）廻りに捻られた三角筒形芯部（２）と、横断面に於て該芯部（２）の三辺（12）を一方へ延伸した捻りブレード部（３）と、から成る回転体（１）を、プラスチックにて一体射出成形することを特徴とする鳥類飛来防止装置の回転体の製法。
【請求項７】
上記中子（21）の外向き合わせ面（22）と、上記３つの分割金型（23）の内向き合わせ面（24）に備えられる型部（35）と、から構成されるキャビティ部（25）に、溶融したプラスチックを射出し、
上記プラスチックが固化した後に、上記３つの分割金型（23）を分割して外し、
次に、上記中子（21）を上記軸心（Ｘ）廻りに回転しながら、上記固化後の三角筒形プラスチックの中空部（14）から抜き取って、
上記プラスチックから、一軸心（Ｘ）廻りに捻られた三角筒形芯部（２）と、横断面に於て該芯部（２）の三辺（12）を一方へ延伸した捻りブレード部（３）と、から成る回転体（１）を成形する請求項６記載の鳥類飛来防止装置の回転体の製法。
【請求項８】
上記回転体（１）に、軸心（Ｘ）と直交する直交面で分離可能な切り目（５）を、一体成形する請求項６又は７記載の鳥類飛来防止装置の回転体の製法。
【発明の詳細な説明】
【技術分野】
【０００１】
本発明は、鳥類飛来防止装置に関するものである。
【背景技術】
【０００２】
従来の鳥類飛来防止装置は、敷物上のマット上に複数の支柱を林立し、その支柱の先端に鳥類の足を捕らえる係止材を付設したものが知られている（例えば、特許文献１参照）。
【特許文献１】特開平８−２２８６５６号公報
【発明の開示】
【発明が解決しようとする課題】
【０００３】
この鳥類飛来防止装置は、鳥類のフンによる公害等を防止したい各種建造物，高架下，電柱上部といった場所に設置され、飛来してきた鳥類の足を捕らえ引き抜き難くすることで、嫌な記憶を植えつけて、飛来を防止するものである。しかし、学習能力を持つ鳥類は、マットの支柱の上に、小枝，草，土，ゴミ等を運んできて載置し、その上に巣を作るため、飛来防止の効果が失われてしまう。
【０００４】
そこで、本発明は、鳥類が飛来してきて止まることを確実に防ぐことができ、鳥類のフンによる公害等を、防ぐことができる鳥類飛来防止装置を提供することを目的とする。
【課題を解決するための手段】
【０００５】
上述の目的を達成するために、本発明に係る鳥類飛来防止装置は、風を受けて一軸心廻りに回転する細長状回転体を備えた鳥類飛来防止装置であって、該回転体は、上記一軸心廻りに捻られた多角筒形芯部と、横断面に於て該芯部の多角形の各辺を一方へ延伸した捻りブレード部と、を備えてプラスチックにて一体成形されている。
【０００６】
また、上記多角形の角数をＮとすると、上記多角筒形芯部の全長の捻り角度を、 360°／Ｎ、乃至それより僅かに小さな値に設定した。
また、上記芯部が三角筒形であり、全長の捻り角度を 120°乃至それより僅かに小さな値に設定した。
【０００７】
また、上記回転体が、軸心と直交する直交面で分離可能な切り目を、有する。
そして、一体成形された上記回転体の多角筒形芯部の両端開口部に挿入固着される軸棒部材を有する。
【０００８】
また、本発明に係る鳥類飛来防止装置の回転体の製法は、三角柱が軸心廻りに 120°捻られた形状の中子と、該中子廻りで軸心を中心として径方向へ 120°の方向に３分割可能であると共に中子の３つの外向き合わせ面に対応するように捻られた形状の内向き合わせ面を有する３つの分割金型と、を備える金型機構を使用して、一軸心廻りに捻られた三角筒形芯部と、横断面に於て該芯部の三辺を一方へ延伸した捻りブレード部と、から成る回転体を、プラスチックにて一体射出成形するものである。
【０００９】
そして、上記中子の外向き合わせ面と、上記３つの分割金型の内向き合わせ面に備えられる型部と、から構成されるキャビティ部に、溶融したプラスチックを射出し；上記プラスチックが固化した後に、上記３つの分割金型を分割して外し；次に、上記中子を上記軸心廻りに回転しながら、固化後の三角筒形プラスチックの孔部から抜き取って；上記プラスチックから、一軸心廻りに捻られた三角筒形芯部と、横断面に於て該芯部の三辺を一方へ延伸した捻りブレード部と、から成る回転体を成形するものである。
また、上記回転体に、軸心と直交する直交面で分離可能な切り目を、一体成形するものである。
【発明の効果】
【００１０】
本発明は、次のような著大な効果を奏する。
風がどのような方向から吹いても、ブレード部が風を効率よく受けることができ、回転体が回転し易いので、鳥類は、鳥類飛来防止装置が設置された場所に飛来してきて止まることができず、フンによる公害等を低減できる。
また、仮に無風状態であっても、鳥類が飛来してきてブレード部上に止まると、ブレード部が鳥類の重量を受けて回転体が回転するので、鳥類は止まることができず、巣作りの材料を載置することもできないので好都合である。
また、モータ等を使用しなくても、回転体は回転するので、故障する虞れがなく、電力等のコストも掛からない。
【００１１】
また、回転体は、分割金型に射出成形されたプラスチックが固化した後に、分割金型を分離し、中子を、抜き取る製法により成形され、その作業は容易であるので、ブレード部及び芯部は複雑な形状であるにも関わらず、回転体を、短時間で大量に、かつ容易に一体成形することができる。
さらに、全体に肉厚が均一な製品が得られ、歪みが少なく、引け巣や亀裂のない製品が簡単に得られる。
【発明を実施するための最良の形態】
【００１２】
以下、実施の形態を示す図面に基づき、本発明を詳説する。
図１，図２，図３，図４及び図５に示すように、本発明の鳥類飛来防止装置10は、風を受けて一軸心Ｘ廻りに回転する細長状回転体１と、回転体１を回転自在に保持するための枢支部材７，７と、を備え、各種建造物廻り，橋等の高架下といった鳥類のフンによる公害等を防止したい場所に設置される。
【００１３】
上記細長状回転体１は、軸心Ｘ廻りに捻られた多角筒形芯部２と、横断面に於て芯部２の多角形の各辺12…を一方へ（同一周方向に）延伸した捻りブレード部３…と、がプラスチックにて一体成形されたものである。
多角筒形芯部２の多角形の角数をＮとすると、この多角筒形芯部２の全長の捻り角度θは、 360°／Ｎ、乃至それより僅かに小さな値に設定されている。
後述するように、分割金型23を放射外方向に分離作動して、成型品としてこの回転体１を容易に成型することができる
回転体１の軸方向長さ寸法Ｗは、設置場所に応じて、20cm乃至 100cmに設定される。
【００１４】
図例では、筒形芯部２は三角筒形であり、角数Ｎが３なので、上述の設定に従い、三角筒形芯部２の全長の捻り角度θは、 120°乃至それより僅かに小さな値に設定される。
即ち、夫々のブレード部３…は、左右方向の一端３ａから他端３ｂに掛けて、周方向に 120°乃至それより僅かに小さな値の角度をもって捻られた、螺旋形状である。
回転体１の三角筒形芯部２の中空部14は、全長が 120°乃至それより僅かに小さな値をもって軸心Ｘ廻りに捻られた三角柱形状を成す。
【００１５】
また、回転体１は、軸心Ｘと直交する直交面で分離可能な切り目５が、１箇所乃至複数列形成される。
図例では、該切り目５は、芯部２及び３枚のブレード部３…に、軸心Ｘと直交する位置に於て、散点状に貫通された多数の小孔から成るミシン目である。
あるいは、図示省略するが、切り目５は、軸心Ｘと直交する位置に於て、芯部２及び３枚のブレード部３…に形成された細溝条であってもよい。即ち、芯部２及びブレード部３は、細溝条が形成された箇所に於て、薄肉状となり、分離し易い。
【００１６】
また、回転体１を回転自在に保持するための上記枢支部材７は、端部開口部４に挿入固着可能される軸棒部材８と、軸棒部材８を回転自在に保持する軸受け部材９と、から成る。
さらに具体的には、軸棒部材８は、端部開口部４に挿入固着される三角柱形状の挿着部８ａと、挿着部８ａの三角柱形状の底面に立設された軸棒部８ｂと、から成り、軸受け部材９は、軸棒部８ｂを回転自在に保持する孔部を有する筒部９ａと、筒部９ａを立脚保持する脚部９ｂと、から成る。
なお、芯部２が多角筒形である場合は、上記挿着部８ａは、その芯部２と同一角数の多角柱形状に形成される。
【００１７】
次に、図６，図７に於て、上述した三角筒形芯部２を有する回転体１の、成形装置及び製法について説明する。
まず、成形装置について説明する。
20は、回転体１を、プラスチックにて一体射出成形するための金型機構で、成形装置に備えられるものである。
この金型機構20は、三角柱が軸心Ｘ廻りに 120°捻られた形状の中子21と、軸心Ｘを中心として径方向へ 120°の方向に３分割可能で中子21に対し往復動自在な３つの分割金型23…と、を備え、この３つの分割金型23…は、図示省略のピストン装置等にて、軸心Ｘを中心として往復動自在である。
３つの分割金型23…は、夫々、中子21の３つの外向き合わせ面22…に対応するように捻られた同一形状の内向き合わせ面24…を有する。
【００１８】
３つの分割金型23…を、23Ａ，23Ｂ，23Ｃとして、説明する。
分割金型を23Ａを中子21へ閉じる（セットする）方向を合わせ方向Ｌとすると、分割金型23Ａは、横断面に於て、内向き合わせ面24の両端から夫々連続して合わせ方向Ｌに平行な平坦状側壁面26，27、を有する。
内向き合わせ面24…は、嵌合面30と、（後述するように）キャビティ部25を構成するための型部35と、から成る。
【００１９】
具体的には、嵌合面30は、一方の側壁面26の先端部26ａから合わせ方向Ｌに対し 120°折り返し状に形成されている。
型部35は、嵌合面30の基端部30ａから段差部40をもって合わせ方向Ｌに対し後方に下がると共に嵌合面30と平行である平坦状の第１型部31と、該第１型部31の基端部31ａから合わせ方向Ｌと逆方向に平行な平坦面の第２型部32と、該第２型部32の基端部32ａから合わせ方向Ｌに対し60°折り返し状に傾斜する平坦状の第３型部33と、から成る。そして、第３型部33と、他方の側壁面27とは、両先端部33ａ，27ａに於て、60°の傾きをもって折り返し状となる。
【００２０】
このような構成なので、３つの分割金型23…を中子21へ閉じた（セットした）場合には、分割金型23Ａの嵌合面30は、他の分割金型23Ｂの第２型部32と、密着状態となる。
また、分割金型23Ａの第１型部31は、中子21の外向き合わせ面22及び他の分割金型23Ｂの第２型部32と共に（後述する）キャビティ部25を、構成する。
また、分割金型23Ａの第２型部32は、別の分割金型23Ｃの第１型部31と共にキャビティ部25を構成し、かつ、別の分割金型23Ｃの嵌合面30に密着状態となる。
また、分割金型23Ａの第３型部33は、別の分割金型23Ｃの側壁面26に密着状態なる。
そして、分割金型23Ａ，23Ｂ，23Ｃの合わせ面24は同一形状であることから、金型機構20に於て、固定側である中子21と、移動側である３つの分割金型23…と、から、溶融したプラスチックが射出されて上記回転体１を成形可能なキャビティ部（空間部）25が構成される。
【００２１】
そして、図示省略するが、上記金型機構20が、上下動自在な上型と固定下型の間に、キャビティ部25の長手方向を鉛直向きとして、配設される。
金型機構20は、固定下型に具備されスラスト軸受等にて鉛直軸心廻りに回転可能な台座上に、配置される。また、上型は、噴射部が下向きの噴射ノズルを有し、この噴射ノズルは、金型機構20の上部にセットされる。このノズルは、噴射部が上記キャビティ部25の上部に対応するように配設され、かつ、水平移動自在である。
なお、中子21は、上部が上型に付設され上型と共に上下動可能であったり、あるいは、上型とは独立して上下動に操作自在であってもよい。
【００２２】
次に、上記成形装置による回転体１の製法について説明する。
噴射ノズルの噴射部から溶融したプラスチック等の樹脂材を噴射し、金型機構20のキャビティ部25内に注入する。この際、噴射ノズルを水平移動させながら噴射を行い、上記溶融したプラスチックが、キャビティ部25内に満遍なく注入できるようにする。
この注入が完了したら、プラスチックを冷却し、固化した後、分割金型23…を分割する。図７では、１つの分割金型23のみが分割するように図示してあるが、３つの分割金型23…を同時に分割してもよい。
【００２３】
中子21は、軸心Ｘ廻りに捻られた外形を有するので、中子21とプラスチック体とを相対的に回転させる機構を設けることにより、中子21が、プラスチック体の内部から回転しながら抜き取られる。
この具体的な一例を記すと、中子21を、無回転のまま上昇させる（あるいは、中子21の上部が上型に固定されている場合は、上型を上昇させる）と、固化後のプラスチック体は、下型の台座上でスラスト軸受等にて鉛直軸心廻りに回転し、上記プラスチック体から、中子21が、抜き取られる。
そして、この台座からプラスチック体を切り離せば、回転体１が成形される。
【００２４】
また、図示省略するが、３つの分割金型23…の内向き合わせ面24の型部35は、上記軸心Ｘに直交する仮想直交面上に沿うように、多数の所定ピッチの突部を具備する。この突部により、成形される回転体１の芯部２及び３つのブレード部３…は、軸心Ｘと直交する直交面で分離可能となるミシン目状の切り目５が、一体成形される。
あるいは、この構成に限定されず設計変更自在であり、型部35は、上記仮想直交面上に沿うように備えられるレール状の小突条であってもよい。この小突条により、芯部２及び３つのブレード部３…は、軸心Ｘと直交する直交面で分離可能な細溝状の切り目５が、一体成形される。
なお、上記多数の突部又は小突条を、軸心Ｘ方向に複数列形成して、回転体１が、複数箇所で分離可能となるように構成されてもよく、設置場所に応じて、回転体１を所望の長さにし易い。
【００２５】
図１，図５に於て、成形した回転体１の芯部２の両端開口部４，４に、上記枢支部材７，７の軸棒部材８，８を挿入固着し、枢支部材７の軸受け部材９の脚部９ｂにて、鳥類の飛来を防ぎたい場所に設置すると、ブレード部３…が風を受けて、回転体１は風向きにより矢印Ｒの方向又は逆方向に回転する。
さらに、ブレード部３の外方辺部を横断面鋭利状に形成することで、鳥類に対して恐怖心を与えるようにしてもよい。
【００２６】
以上のように、上記の鳥類飛来防止装置10は、風を受けて一軸心Ｘ廻りに回転する細長状回転体１を備えた鳥類飛来防止装置10であって、回転体１は、一軸心Ｘ廻りに捻られた多角筒形芯部２と、横断面に於て芯部２の多角形の各辺12を一方へ延伸した捻りブレード部３と、を備えてプラスチックにて一体成形されているので、回転体１は、風が微弱であってもブレード部３により受けることができ、回転体１が回転し易い。
よって、鳥類は、鳥類飛来防止装置10が設置された場所に飛来してきて止まることができず、フンによる公害等を低減できる。また、モータ等を使用しなくても、回転体１は回転するので、故障する虞れがなく、電力等のコストも掛からない。
また、仮に無風状態であっても、鳥類が飛来してきてブレード部３上に止まると、ブレード部３が鳥類の重量を受けて回転体１が回転し、鳥類は止まることができず、また、巣作りの材料を載置することもできないので、好都合である。
【００２７】
また、多角形の角数をＮとすると、多角筒形芯部２の全長の捻り角度θを、 360°／Ｎ、乃至それより僅かに小さな値に設定しているので、回転体１を成形後に、分割金型を軸心Ｘ方向へ 360°／Ｎの方向に真っ直ぐ分割することができ、回転体１の（射出）成形を、容易に行い得る。
【００２８】
また、芯部２が三角筒形であり、全長の捻り角度θを 120°乃至それより僅かに小さな値に設定したものなので、３つの分割金型を有する金型機構を使うことで、容易に回転体１を成形することができる。そして、ブレード部３は、全長に渡って 120°乃至それより僅かに小さく捻じられた形状なので、どんな方向から吹いても、風を効率よく受けることができ、回転体１は回転し易い。
【００２９】
また、回転体１が、軸心Ｘと直交する直交面で分離可能な切り目５を、有するので、簡単に分離することができ、設置場所に応じて、回転体１を所望の長さに設定することができる。
【００３０】
また、一体成形された回転体１の多角筒形芯部２の両端開口部４，４に挿入固着される軸棒部材８，８を有するので、軸棒部材８，８を有する枢支部材７，７と、回転体１とから、容易に鳥類飛来防止装置10を組み立てることができ、設置したい場所に運んで、容易に設置することができる。
また、回転体１を、どの切り目５で分離しても、芯部２の両端開口部４，４は同じ形状であるので、一種類の枢支部材７，７をもって、回転体１を回転自在として組み立てることができる。
【００３１】
また、鳥類飛来防止装置10の回転体１の製法は、三角柱が軸心Ｘ廻りに 120°捻られた形状の中子21と、中子21廻りで軸心Ｘを中心として径方向へ 120°の方向に３分割可能であると共に中子21の３つの外向き合わせ面22に対応するように捻られた形状の内向き合わせ面24を有する３つの分割金型23と、を備える金型機構20を使用して、一軸心Ｘ廻りに捻られた三角筒形芯部２と、横断面に於て芯部２の三辺12を一方へ延伸した捻りブレード部３と、から成る回転体１を、プラスチックにて一体射出成形するものなので、回転体１のブレード部３及び芯部２は複雑な形状であるにも関わらず、容易に一体成形することができる。
さらに、全体に肉厚が均一な製品が得られ、歪みが少なく、引け巣や亀裂のない製品を簡単に得られる。
【００３２】
また、中子21の外向き合わせ面22と、３つの分割金型23の内向き合わせ面24に備えられる型部35と、から構成されるキャビティ部25に、溶融したプラスチックを射出し、プラスチックが固化した後に、３つの分割金型23を分割して外し、次に、中子21を軸心Ｘ廻りに回転しながら、固化後の三角筒形プラスチックの中空部14から抜き取って、プラスチックから、一軸心Ｘ廻りに捻られた三角筒形芯部２と、横断面に於て芯部２の三辺12を一方へ延伸した捻りブレード部３と、から成る回転体１を成形するので、分割金型23に射出成形されたプラスチックが固化した後に、分割金型23及び中子21を、容易に引き離す（分離する）ことができる。よって、回転体１を、短時間で大量に、かつ容易に成形することができる。
【００３３】
また、回転体１に、軸心Ｘと直交する直交面で分離可能な切り目５を、一体成形するので、回転体１を射出成形する工程の中で切り目５を成形することができ、手間を省くことができる。
そして、回転体１を、切り目５で簡単に分離することができ、設置場所に応じて、所望の長さに設定することができる。
【図面の簡単な説明】
【００３４】
【図１】本発明に係る鳥類飛来防止装置の実施の一形態を示す分解斜視図である。
【図２】回転体を示す正面図である。
【図３】側面図である。
【図４】図２のＡ−Ａ断面図である。
【図５】説明用正面図である。
【図６】金型機構の要部端面平面図である。
【図７】要部端面平面図である。
【符号の説明】
【００３５】
１  回転体
２  芯部
３  ブレード部
４  開口部
５  切り目
７  枢支部材
８  軸棒部材
10  鳥類飛来防止装置
12  辺
14  中空部
20  金型機構
21  中子
22  合わせ面
23  分割金型
24  合わせ面
25  キャビティ部
35  型部
θ  捻り角度
Ｎ  角数
Ｘ  軸心
【図１】
2005168409.tif 000003
【図２】
2005168409.tif 000004
【図３】
2005168409.tif 000005
【図４】
2005168409.tif 000006
【図５】
2005168409.tif 000007
【図６】
2005168409.tif 000008
【図７】
2005168409.tif 000009